(57)【特許請求の範囲】
【請求項１】
第１通信経路を介して外部端末との間で通信が可能で、前記第１通信経路とは異なる第２通信経路を介してサーバとの間で通信が可能な移動機であって、
前記外部端末との間でデータの受信及び送信を行う第１通信手段と、
前記サーバと前記外部端末との間の接続を要求する接続要求と前記サーバを識別するためのサーバ識別情報とを前記サーバから受信し、前記外部端末から受信したデータを前記サーバに送信する第２通信手段と、
前記サーバ識別情報が前記外部端末との間の接続が許可された許可サーバを示す場合、前記サーバからの前記接続要求を前記外部端末に通知することで、前記外部端末と前記サーバとの相互の接続を確立した後に、前記外部端末から受信したデータを前記サーバに送信するように前記第１通信手段及び前記第２通信手段を制御する送信制御手段と、を備える移動機。
【請求項２】
前記許可サーバを示す許可サーバ情報を格納する外部メモリを着脱可能な外部メモリ装着手段を更に備え、
前記外部メモリ装着手段により装着された外部メモリに格納されている許可サーバ情報に基づいて、前記送信制御手段は前記第１通信手段及び前記第２通信手段を制御することを特徴とする請求項１に記載の移動機。
【請求項３】
あらかじめ設定されている設定パスワードが前記外部メモリに格納されている第１のパスワードと一致する場合、前記外部メモリ装着手段により装着された外部メモリに格納されている許可サーバ情報に基づいて、前記送信制御手段は前記第１通信手段及び前記第２通信手段を制御することを特徴とする請求項２に記載の移動機。
【請求項４】
前記外部メモリの第１のパスワードが前記設定パスワードと一致する場合、前記設定パスワードを前記外部メモリに格納されている第２のパスワードに書換えるパスワード書換手段を更に備えること特徴とする請求項３に記載の移動機。
【請求項５】
移動機と、第１通信経路を介して前記移動機との間で通信可能な外部端末と、前記第１通信経路とは異なる第２通信経路を介して移動機との間で通信が可能なサーバとを備えるデータ収集システムであって、
前記サーバは、前記外部端末との間の接続を要求する接続要求と前記サーバを識別するためのサーバ識別情報とを前記移動機に送信し、前記移動機から送信されたデータを受信する通信手段と、前記移動機から送信されたデータを格納する格納手段と、を具備し、
前記移動機は、前記外部端末との間でデータの受信及び送信を行う第１通信手段と、前記接続要求と前記サーバ識別情報とを前記サーバから受信し、前記外部端末から受信したデータを前記サーバに送信する第２通信手段と、前記サーバ識別情報が前記外部端末との間の接続が許可された許可サーバを示す場合、前記サーバからの前記接続要求を前記外部端末に通知することで、前記外部端末と前記サーバとの相互の接続を確立した後に、前記外部端末から受信したデータを前記サーバに送信するように前記第１通信手段及び前記第２通信手段を制御する送信制御手段と、を具備し、
前記外部端末は、データを格納するデータ格納手段と、前記データ格納手段に格納されているデータを前記移動機に送信する通信手段とを具備する、データ収集システム。
【請求項６】
移動機を介して、外部端末に格納されているデータをサーバに収集するデータ収集方法であって、
前記サーバと前記外部端末との間の接続を要求する接続要求と前記サーバを識別するためのサーバ識別情報とを前記サーバから前記移動機に送信する要求送信ステップと、
前記移動機において、前記サーバ識別情報が前記外部端末との間の接続が許可された許可サーバを示すことを判定する判定ステップと、
前記判定ステップで前記サーバ識別情報が前記許可サーバを示すと判定された場合、前記サーバからの前記接続要求を前記外部端末に通知することで、前記外部端末と前記サーバとの相互の接続を確立した後に、前記移動機を介して前記外部端末から受信したデータを前記サーバに送信するデータ送信ステップと、を備えるデータ収集方法。
【発明の詳細な説明】
【技術分野】
【０００１】
本発明は、移動機、データ収集システム及びデータ収集方法に関し、特に、端末によって収集されたデータを取り扱う移動機、データ収集システム及びデータ収集方法に関する。
【背景技術】
【０００２】
運送会社の宅配サービス員等である使用者が携帯する移動機（例えば、携帯電話）と通信可能な外部端末（例えば、バーコードリーダ）を用いて、送付状に印刷されたコードやパターンを読み取り、移動機を介して、読取りデータをサーバに送信することで、荷物の追跡や配達証明を可能としたシステムが知られている（特許文献１及び特許文献２参照）。
【０００３】
このようなシステムでは、荷物の追跡や配達証明を実行するために、コード等から読み取ったデータを確実に収集してサーバに格納する必要がある。そのため、特許文献１に記載のシステムでは、確実なデータ送信を行うために、移動機からサーバに送信されたデータを使用者が確認できるように構成している。
【特許文献１】特開２００１−３１８９７４号公報
【特許文献２】特開２００４−２１９０２号公報
【発明の開示】
【発明が解決しようとする課題】
【０００４】
しかしながら、特許文献１及び特許文献２に記載のシステムのいずれにおいても、使用者が読取りデータの送信を失念した場合には、荷物の配送等に関するデータの管理を行なうサーバにデータを収集することができなかった。また、移動機の操作に不慣れな使用者にとっては、読取りデータの送信に関する操作を行うことが困難な場合があった。そのため、サーバから外部端末に対して読取りデータの送信等を指示することができるシステムの実現が望まれていた。
【０００５】
そこで、本発明は、サーバからの指示によって、簡易かつ安全に外部端末に格納されているデータをサーバに収集することができる移動機、データ収集システム及びデータ収集方法を提供することを目的とする。
【課題を解決するための手段】
【０００６】
本発明の移動機は、第１通信経路を介して外部端末との間で通信が可能で、第１通信経路とは異なる第２通信経路を介してサーバとの間で通信が可能な移動機であって、外部端末との間でデータの受信及び送信を行う第１通信手段と、サーバと外部端末との間の接続を要求する接続要求とサーバを識別するためのサーバ識別情報とをサーバから受信し、外部端末から受信したデータをサーバに送信する第２通信手段と、サーバ識別情報が外部端末との間の接続が許可された許可サーバを示す場合、外部端末から受信したデータをサーバに送信するように第１通信手段及び第２通信手段を制御する送信制御手段と、を備える。
【０００７】
本発明によれば、移動機はサーバからの接続要求を受けて、外部端末から受信したデータをサーバに送信する。従って、使用者が移動機を操作しなくとも、移動機を介して外部端末のデータをサーバへ簡易に送信することができる。また、移動機は、接続要求を送信したサーバのサーバ識別情報が外部端末との間の接続が許可された許可サーバを示す場合、外部端末から受信したデータをサーバに送信する。従って、移動機は、外部端末との間の接続が許可されたサーバ以外に対して外部端末のデータを送信しないため、不特定のサーバが外部端末に接続することを防止できる。そのため、第三者によって外部端末が取得したデータが入手される可能性を低減し、外部端末のデータを安全に取り扱うことができる。
【０００８】
また、上記移動機は、許可サーバを示す許可サーバ情報を格納する外部メモリを着脱可能な外部メモリ装着手段を更に備え、外部メモリ装着手段により装着された外部メモリに格納されている許可サーバ情報に基づいて、送信制御手段は第１通信手段及び第２通信手段を制御するように構成してもよい。このように構成することで、移動機で設定されている許可サーバと異なる許可サーバ情報に基づいて、送信制御手段がデータ送信を行なう必要が生じた場合も、使用者が外部メモリを移動機に装着することで、その他の操作を行うことなく、許可サーバ情報を変更することができる。従って、移動機の操作に不慣れな使用者であっても、簡易に移動機で設定されている許可サーバと異なる許可サーバ情報に基づいてデータ送信をすることができる。
【０００９】
また、上記移動機は、あらかじめ設定されている設定パスワードが外部メモリに格納されている第１のパスワードと一致する場合、外部メモリ装着手段により装着された外部メモリに格納されている許可サーバ情報に基づいて、送信制御手段は第１通信手段及び第２通信手段を制御するように構成してもよい。このように構成することで、移動機の設定パスワードと一致するパスワードを格納する外部メモリが移動機に装着された場合に限って、外部メモリに格納されている許可サーバ情報に基づいて送信制御手段はデータを送信する。従って、外部メモリに格納されている許可サーバ情報に基づく制御を行なう場合におけるセキュリティを向上することができる。
【００１０】
また、上記移動機は、外部メモリの第１のパスワードが設定パスワードと一致する場合、設定パスワードを外部メモリに格納されている第２のパスワードに書換えるパスワード書換手段を更に備えてもよい。このように構成することで、外部メモリに格納されている許可サーバ情報に基づく制御を行なう度に設定パスワードが変更されるため、外部メモリに格納されている許可サーバ情報に基づく制御を行なう場合におけるセキュリティを更に向上することができる。
【００１１】
本発明は、上記のように移動機に係る発明として記述できる他に、以下のようにデータ収集システムに係る発明及びデータ収集方法に係る発明としても記述することができる。
【００１２】
本発明のデータ収集システムは、移動機と、第１通信経路を介して移動機との間で通信可能な外部端末と、第１通信経路とは異なる第２通信経路を介して移動機との間で通信が可能なサーバとを備えるデータ収集システムであって、サーバは、外部端末との間の接続を要求する接続要求とサーバを識別するためのサーバ識別情報とを移動機に送信し、移動機から送信されたデータを受信する通信手段と、移動機から送信されたデータを格納する格納手段と、を具備し、移動機は、外部端末との間でデータの受信及び送信を行う第１通信手段と、接続要求とサーバ識別情報とをサーバから受信し、外部端末から受信したデータをサーバに送信する第２通信手段と、サーバ識別情報が外部端末との間の接続が許可された許可サーバを示す場合、外部端末から受信したデータをサーバに送信するように第１通信手段及び第２通信手段を制御する送信制御手段と、を具備し、外部端末は、データを格納するデータ格納手段と、データ格納手段に格納されているデータを移動機に送信する通信手段とを具備する。
【００１３】
また、本発明のデータ収集方法は、移動機を介して、外部端末に格納されているデータをサーバに収集するデータ収集方法であって、サーバと外部端末との間の接続を要求する接続要求とサーバを識別するためのサーバ識別情報とをサーバから移動機に送信する要求送信ステップと、移動機において、サーバ識別情報が外部端末との間の接続が許可された許可サーバを示すことを判定する判定ステップと、判定ステップでサーバ識別情報が許可サーバを示すと判定された場合、移動機を介して外部端末から受信したデータをサーバに送信するデータ送信ステップと、を備える。
【００１４】
なお、上記のデータ収集システム及びデータ収集方法に係る発明は、上記の移動機に係る発明と対応する技術的特徴を有し、同様の作用及び効果を奏する発明である。
【発明の効果】
【００１５】
本発明によれば、移動機は、接続要求を送信したサーバのサーバ識別情報が外部端末との間の接続が許可された許可サーバを示す場合、外部端末から受信したデータをサーバに送信する。従って、使用者が移動機を操作しなくとも、移動機を介して外部端末のデータはサーバへ簡易に送信される。また、移動機は、外部端末との間の接続が許可されたサーバ以外に対して外部端末のデータを送信しないため、第三者によってデータが入手される可能性を低減し、外部端末のデータを安全に取り扱うことができる。
【発明を実施するための最良の形態】
【００１６】
以下、図面を参照しながら、本発明に係る移動機、データ収集システム及びデータ収集方法の一実施形態を説明する。
【００１７】
図１は、本実施形態に係る移動機１０を含むデータ収集システム１の全体構成図である。図１に示されるデータ収集システム１は、移動機１０と、外部端末２０と、サーバ３０と、を備えている。
【００１８】
このデータ収集システム１において、移動機１０は、Bluetooth（登録商標）や赤外線通信等の近距離無線通信方式によって構成される経路（第１通信経路）を介して外部端末２０との間で相互に通信が可能とされている。また、移動機１０は、基地局及び交換機等の機器（いずれも図示せず）から構成される情報通信ネットワークＮの経路（第２通信経路）を介して、サーバ３０との間で相互に通信が可能とされている。
【００１９】
次に、図１及び図２を参照しつつ、データ収集システム１を構成する要素及びその機能を説明する。
【００２０】
まず、移動機１０を構成する要素及びその機能を説明する。移動機１０は、機能的な構成要素として、第１通信部１１（第１通信手段）と、第２通信部１２（第２通信手段）と、格納部１３と、外部メモリ装着部１４（外部メモリ装着手段）と、制御部１５と、入力部１６と、表示部１７と、を備える。なお、このような移動機１０の例としては、携帯電話及び通信機能を備えるＰＤＡ（Personal Digital Assistance）等がある。
【００２１】
第１通信部１１は、外部端末２０との間でデータの受信及び送信を行う部分である。この第１通信部１１は、制御部１５からの指示を受けて、外部端末２０によって取得された取得データを受信するために、外部端末２０へ取得データの送信要求を送信し、外部端末２０から送信された取得データを格納部１３に出力する。
【００２２】
第２通信部１２は、サーバ３０との間でデータの受信及び送信を行う部分である。具体的には、第２通信部１２は、サーバ３０と外部端末２０との間の接続を要求する接続要求とサーバ識別情報とをサーバ３０から受信し、外部端末２０から受信した取得データをサーバ３０に送信する。この第２通信部１２がサーバ３０から受信する接続要求とサーバ識別情報とは、制御部１５において処理されて、その処理結果に応じて第２通信部１２はサーバ３０に対して外部端末２０から受信したデータを送信する。
【００２３】
格納部１３は、第１通信部１１及び第２通信部１２によって、送受信されるデータを格納する部分である。また、この格納部１３は、外部端末２０との接続を許可されたサーバのサーバ識別情報である許可サーバ情報を含む許可サーバリストを格納する。また、格納部１３は、後述する設定パスワードを格納する。ここで、サーバ識別情報とは、情報通信ネットワークＮに接続されている他のサーバをサーバ３０と識別するための情報であり、例えばサーバＩＤである。また、このようなサーバ識別情報としては、サーバのドメイン名（例えば、abc.co.jpやdef.ne.jpのような形式で示されるもの）を用いることができる。また、許可サーバリストとは、単数もしくは複数のサーバ識別情報が一覧や表などの形式で列挙して示されているものを意味する。
【００２４】
更に、格納部１３は、制御部１５の指示に基づいて、格納しているデータを第１通信部１１及び第２通信部１２へ出力できるように構成されているだけでなく、表示部１７に表示するために格納しているデータを出力できるように構成されている。
【００２５】
外部メモリ装着部１４は、外部メモリ５０を着脱可能に装着する部分である。ここで、図２を用いて外部メモリ５０を説明する。図２は、移動機の外部メモリ装着部１４に装着される外部メモリ５０の模式図である。図２に示されるように外部メモリ５０には、許可サーバリスト及び後述する現パスワード（第１のパスワード）及び新パスワード（第２のパスワード）が格納されている。なお、外部メモリ装着部１４に着脱される外部メモリとしては、例えば図２に示されるようなカード型のフラッシュメモリがある。
【００２６】
制御部１５は、第１通信部１１、第２通信部１２、格納部１３、外部メモリ装着部１４、入力部１６及び表示部１７との間でデータの入出力を行ない、これらを制御する部分である。この制御部１５は、送信制御部１５Ａ（送信制御手段）と、書換制御部１５Ｂと、許可サーバ情報書換部１５Ｃと、パスワード書換部１５Ｄ（パスワード書換手段）と、を備えている。
【００２７】
送信制御部１５Ａは、サーバ３０から送信されたサーバ識別情報が外部端末２０との間の接続が許可された許可サーバを示す場合、外部端末２０から受信したデータをサーバ３０に送信するように第１通信部１１及び第２通信部１２を制御する。この送信制御部１５Ａは、サーバ３０から送信されたサーバ識別情報が、格納部１３に格納されている許可サーバリストに許可サーバ情報として含まれているか否かを確認することで、サーバ３０のサーバ識別情報が外部端末２０との間の接続が許可された許可サーバであるか否かを判定する。
【００２８】
また、送信制御部１５Ａは、外部メモリ装着部１４により装着された外部メモリ５０に格納されている許可サーバ情報に基づいて、第１通信部１１及び前記第２通信部１２を制御することができるように構成されている。この場合、後述するように、送信制御部１５Ａは、書換制御部１５Ｂと、許可サーバ情報書換部１５Ｃと、パスワード書換部１５Ｄと協働しつつ、第１通信部１１及び前記第２通信部１２を制御する。
【００２９】
書換制御部１５Ｂは、あらかじめ設定されている設定パスワードが外部メモリ５０に格納されている現パスワード（第１のパスワード）と一致する場合、外部メモリ５０に格納されている許可サーバリスト（許可サーバ情報）への書換えを許可サーバ情報書換部１５Ｃに指示する。なお、移動機の使用開始時において格納部１３に格納される当初の設定パスワードは、デフォルト設定（例えば、「００００」）でも、入力部１６を用いた使用者による入力またはサーバ３０からの入力による設定でも良い。
【００３０】
許可サーバ情報書換部１５Ｃは、送信制御部１５Ａによる判定に用いる許可サーバリストを外部メモリ５０に格納されている許可サーバリストに書換える部分である。具体的には、許可サーバ情報書換部１５Ｃは、上述の書換制御部１５Ｂにおいて設定パスワードが外部メモリ５０に格納されている現パスワードと一致する場合、書換制御部１５Ｂによる指示を受けて、格納部１３に格納されている許可サーバリストを書換える。この許可サーバリストの書換えについては、後に詳述する。
【００３１】
パスワード書換部１５Ｄは、書換制御部１５Ｂについて設定されている設定パスワードを書換える部分である。具体的には、パスワード書換部１５Ｄは、外部メモリ５０に格納されている現パスワード（第１のパスワード）が設定パスワードと一致する場合、設定パスワードを外部メモリ５０に格納されている新パスワード（第２のパスワード）に書換える。設定パスワードは、書換えられた後も、書換え前と同様に、格納部１３に格納される。このパスワードの書換えについては、後に詳述する。
【００３２】
入力部１６は、移動機１０を操作する部分であり、図示しない数字キーや十字キー等で構成されている。移動機１０の使用者は、この入力部１６を操作することで、外部端末２０やサーバ３０との間のデータの送受信を行なうことができる。また、表示部１７は、移動機１０や外部端末２０の動作状態等を表示する部分であり、使用者は表示部１７に表示される内容を確認することで、例えば、外部端末２０から受信したデータの内容や、サーバ３０に送信したデータの内容を確認することができる。
【００３３】
上述したように外部端末２０及びサーバ３０との間で通信を行なう構成とすることで、使用者が操作しなくとも、移動機１０は外部端末２０によって取得されたデータをサーバ３０に送信することができる。なお、本実施形態に係る移動機１０において、書換制御部１５Ｂはパスワードの照合を行なうが、パスワードの照合を行なわずに、外部メモリ５０が外部メモリ装着部１４に装着された場合、自動的に許可サーバ情報書換部１５Ｃが格納部１３の許可サーバ情報を書換えるように構成してもよい。
【００３４】
次に、外部端末２０を構成する要素及びその機能を説明する。外部端末２０は、機能的な構成要素として、データ取得部２１と、データ格納部２２と、通信部２３と、制御部２４と、を備えている。
【００３５】
データ取得部２１は、移動機１０を介してサーバ３０に収集されるデータを取得する部分であり、取得データをデータ格納部２２に出力する。このデータ取得部２１は、例えばバーコードリーダ等のコード読取り手段で構成することができる。
【００３６】
データ格納部２２は、データ取得部２１によって取得されたデータを格納する部分であり、制御部２４の指示を受けて、格納されている取得データを通信部２３に出力する。
【００３７】
通信部２３は、移動機１０の第１通信部１１との間で通信を行なう部分であり、制御部２４による指示を受けて、上述のように近距離無線通信方式によって構成される経路（第１通信経路）を介して、データ格納部２２に格納されているデータを移動機１０の第１通信部１１に送信する。
【００３８】
制御部２４は、通信部２３を介して入力された移動機１０またはサーバ３０からの要求を受けて、データ取得部２１、データ格納部２２及び通信部２３を制御する部分である。
【００３９】
上述したように移動機１０との間で通信を行なう構成とすることで、外部端末２０はデータ取得部２１によって取得したデータを移動機１０に送信することができる。なお、外部端末２０の形態は特に限定されず、例えば、ペンや携帯電話を模した形状とすることができる。
【００４０】
次に、サーバ３０を構成する要素及びその機能を説明する。サーバ３０は、機能的な構成要素として、通信部３１と、格納部３２と、制御部３３と、を備えている。
【００４１】
通信部３１は、移動機１０の第２通信部１２との間で通信を行なう部分であり、制御部３３による指示を受けて、上述のように情報通信ネットワークＮの経路（第２通信経路）を介して、外部端末２０との間の接続を要求する接続要求とサーバ３０を識別するためのサーバ識別情報とを移動機１０に送信し、また、移動機１０から送信されたデータを受信する。
【００４２】
格納部３２は、サーバ３０のサーバ識別情報及び移動機１０から送信されたデータ等を格納する部分であり、制御部３３による指示を受けて、格納されているデータを通信部３１に送信する。
【００４３】
制御部３３は、管理用端末Ｔ（例えば、システム管理者の操作するパソコン等）または通信部３１を介して入力された移動機１０からの要求を受けて、格納部３２及び通信部３１を制御する部分である。
【００４４】
上述したようにサーバ３０は移動機１０との間で通信を行うことで、接続要求及びサーバ識別情報を送信し、また、移動機１０からの送信データを受信することができる。
【００４５】
引き続き、図３及び図４を参照しつつ、本発明の実施形態に係るデータ収集方法を説明する。図３は、図１に示したデータ収集システム１において、外部端末２０によって取得されたデータを、移動機１０を介してサーバ３０に収集する処理を示すシーケンス図である。
【００４６】
図３に示されるように、管理用端末Ｔによる要求等を受けて、サーバ３０の制御部３３は、外部端末２０との間の接続を要求する接続要求を生成し、サーバ３０を識別するためのサーバ識別情報を格納部３２から取得する（Ｓ１１）。制御部３３は接続要求を生成し、サーバ識別情報を取得した後、通信部３１を介して接続要求及びサーバ識別情報を移動機１０の第２通信部１２に送信する（Ｓ１２）。
【００４７】
移動機１０の第２通信部１２は、受信した接続要求及びサーバ識別情報を制御部１５に出力する。そして、第２通信部１２からの入力を受けて、制御部１５の送信制御部１５Ａは、入力されたサーバ識別情報が外部端末２０との間の接続が許可された許可サーバを示すか否かを判定する（Ｓ１３）。ここで、入力されたサーバ識別情報が外部端末２０との間の接続が許可された許可サーバを示す場合には処理を続行し、送信制御部１５Ａは、サーバ３０からの接続要求を第１通信部１１に出力し、第１通信部１１に外部端末２０の通信部２３への送信を指示する。これにより、移動機１０から外部端末２０に接続要求を通知する（Ｓ１４）。一方、入力されたサーバ識別情報が外部端末２０との間の接続が許可されていないサーバを示す場合には、移動機１０は処理を終了する。
【００４８】
外部端末２０の通信部２３は第１通信部１１から受信した接続要求を制御部２４に出力する。そして、制御部２４は、データ格納部２２に格納されているデータを移動機１０を介して送信するためにサーバ３０との間で相互接続処理を行なう（Ｓ１５）。
【００４９】
相互接続処理によって相互接続が確立された後、サーバ３０から送信された指示を受けて、外部端末２０の制御部２４は、データ格納部２２に格納されている取得データ（すなわち、データ取得部２１によって取得されたデータ）を用いてサーバ３０へ送信するデータを生成する（Ｓ１６）。そして、制御部２４は、生成したデータを通信部２３に出力し、移動機１０を介して当該データをサーバ３０へ送信する（Ｓ１７）。サーバ３０の通信部３１は受信した取得データを格納部３２へ出力し、格納部３２が取得データを格納して処理を終了する（Ｓ１８）。
【００５０】
図４は、本発明の他の実施形態に係るデータ収集方法を示すシーケンス図である。図３に示されるデータ収集方法との違いは、移動機１０が外部端末２０との間の接続を要求する接続要求をサーバ３０から受信する前に、移動機１０は外部端末２０の取得データを格納部１３に格納している点にある。
【００５１】
図４に示されるように、使用者による入力部１６の操作やデータ収集用アプリケーションの起動等を受けて、移動機１０の制御部１５は、外部端末２０のデータ取得部２１によって取得された取得データの送信を要求する取得データ要求を生成する（Ｓ１０１）。そして、制御部１５は、第１通信部１１を介して外部端末２０の通信部２３へ取得データ要求を送信する（Ｓ１０２）。通信部２３は取得データ要求を受信した後、制御部２４に出力する。制御部２４は、取得データ要求を受けて、データ格納部２２に格納されている取得データを送信するためにサーバ３０との間で相互接続処理を行なう（Ｓ１０３）。
【００５２】
相互接続処理によって相互接続が確立された後、外部端末２０の制御部２４は、データ格納部２２に格納されている取得データ（すなわち、データ取得部２１によって取得されたデータ）を用いて移動機１０へ送信するデータを生成する（Ｓ１０４）。そして、制御部２４は、生成したデータを通信部２３に出力し、移動機１０の第１通信部１１へ送信する（Ｓ１０５）。移動機１０の第１通信部１１は受信した取得データを格納部１３へ出力し、格納部１３は取得データを格納する（Ｓ１０６）。
【００５３】
上述のように、移動機１０の格納部１３が取得データを格納した後に、移動機１０の第２通信部１２が外部端末２０との間の接続を要求する接続要求をサーバ３０から受信した場合、引き続き以下のような処理を行なう。
【００５４】
管理用端末Ｔによる指示等を受けて、サーバ３０の制御部３３は、外部端末２０との間の接続を要求する接続要求を生成し、サーバ３０を識別するためのサーバ識別情報を格納部３２から取得する（Ｓ１０７）。制御部３３は接続要求を生成し、サーバ識別情報を取得した後、通信部３１を介して接続要求及びサーバ識別情報を移動機１０の第２通信部１２に送信する（Ｓ１０８）。
【００５５】
移動機１０の第２通信部１２は、受信した接続要求及びサーバ識別情報を制御部１５に出力する。そして、第２通信部１２からの入力を受けて、制御部１５の送信制御部１５Ａは、入力されたサーバ識別情報が外部端末２０との間の接続が許可された許可サーバを示すか否かを判定する（Ｓ１０９）。ここで、入力されたサーバ識別情報が外部端末２０との間の接続が許可された許可サーバを示す場合には処理を続行し、送信制御部１５Ａは、外部端末２０の取得データを第２通信部１２に出力するように格納部１３へ指示し、第２通信部１２からサーバ３０の通信部３１へ送信する（Ｓ１１０）。一方、入力されたサーバ識別情報が許可サーバを示していない場合には、処理を終了する。
【００５６】
サーバ３０の通信部３１は、受信した取得データを格納部３２へ出力し、格納部３２が取得データを格納して処理を終了する（Ｓ１１１）。
【００５７】
このような構成とすることで、外部端末２０が移動機１０へデータを送信した後に、送信済みのデータを自動的に消去するような構成であっても、外部端末２０によって取得されたデータをサーバ３０へ送信することができる。
【００５８】
次に、図５を参照して、本実施形態の移動機１０において、移動機１０の格納部１３に格納される許可サーバリスト（許可サーバ情報）及びパスワードを書換える処理を説明する。
【００５９】
移動機１０において、許可サーバリスト及びパスワードを書換える処理を示すシーケンス図である。まず、外部端末２０の取得データを収集するための機能を有するアプリケーションの起動または移動機１０の電源投入等に基づいて書換えに係る処理が開始され、制御部１５の書換制御部１５Ｂは、外部メモリ装着部１４に外部メモリ５０が装着されているか否かを確認し（Ｓ２１）、外部メモリが装着されていない場合には処理を終了する。外部メモリが装着されている場合、書換制御部１５Ｂは、外部メモリ装着部１４に装着されている外部メモリ５０に新しい許可サーバリストが格納されているか否かを確認し（Ｓ２２）、新しい許可サーバリストが格納されていない場合には処理を終了する。
【００６０】
新しい許可サーバリストが外部メモリ５０に格納されている場合、書換制御部１５Ｂは、新しい許可サーバリストは規定の形式で記述されているか否かを確認し（Ｓ２３）、新しい許可サーバリストが規定の形式（フォーマット）ではない場合には処理を終了する。新しい許可サーバリストが規定の形式の場合、書換制御部１５Ｂは、格納部１３に格納されている設定パスワードと外部メモリ５０に格納されている現パスワード（第１のパスワード）が一致するか否かを確認し（Ｓ２４）、設定パスワードと現パスワードとが一致しない場合には処理を終了する。
【００６１】
設定パスワードと現パスワードとが一致する場合、書換制御部１５Ｂは、格納部１３に格納されている許可サーバリストを外部メモリ５０に格納されている許可サーバリストへ書換えるように、許可サーバ情報書換部１５Ｃに指示する。許可サーバ情報書換部１５Ｃは、書換制御部１５Ｂからの指示を受けて、格納部１３の許可サーバリストを、外部メモリ５０に格納されている新しい許可サーバリストに書換える（Ｓ２５）。
【００６２】
許可サーバリストの書換えを行なった後、書換制御部１５Ｂは、外部メモリ５０に新パスワード（第２のパスワード）が格納されているか否かを確認し（Ｓ２６）、外部メモリ５０に新パスワードが格納されていない場合には処理を終了する。外部メモリ５０に新パスワードが格納されている場合、書換制御部１５Ｂは、格納部１３に格納されている設定パスワードを外部メモリ５０に格納されている新パスワードへ書換えるように、パスワード書換部１５Ｄに指示する。パスワード書換部１５Ｄは、書換制御部１５Ｂからの指示を受けて、格納部１３の設定パスワードを、外部メモリ５０に格納されている新パスワードに書換える（Ｓ２７）。これにより、以降は、新パスワードが移動機１０における設定パスワードとなる。
【００６３】
以上説明した本実施形態に係る移動機１０の作用・効果について説明する。
【００６４】
移動機１０はサーバ３０からの接続要求を受けて、外部端末２０から受信したデータをサーバ３０に送信する。従って、使用者が移動機１０を操作しなくとも、移動機１０を介して外部端末２０のデータをサーバへ簡易に送信することができる。また、移動機１０は、接続要求を送信したサーバ３０のサーバ識別情報が外部端末２０との間の接続が許可された許可サーバを示す場合、外部端末２０から受信したデータをサーバ３０に送信する。従って、移動機１０は、外部端末２０との間の接続が許可されたサーバ以外に対して外部端末２０のデータを送信しないため、不特定のサーバが外部端末２０に接続することを防止できる。そのため、第三者によって外部端末２０が取得したデータが入手される可能性を低減し、外部端末のデータを安全に取り扱うことができる。
【００６５】
また、移動機１０は、許可サーバを示す許可サーバ情報を格納する外部メモリ５０を着脱可能な外部メモリ装着部１４を更に備え、外部メモリ装着部１４により装着された外部メモリ５０に格納されている許可サーバ情報に基づいて、送信制御部１５Ａは第１通信部１１及び第２通信部１２を制御するように構成してもよい。このように構成することで、移動機１０で設定されている許可サーバと異なる許可サーバ情報に基づいて、送信制御部１５Ａがデータ送信を行なう必要が生じた場合も、使用者が外部メモリ５０を移動機１０に装着することで、その他の操作を行うことなく、許可サーバ情報を変更することができる。従って、移動機１０の操作に不慣れな使用者であっても、簡易に移動機１０で設定されている許可サーバと異なる許可サーバ情報に基づいてデータ送信をすることができる。
【００６６】
また、移動機１０は、送信制御部１５Ａによる判定に用いる許可サーバ情報を外部メモリ５０に格納されている許可サーバ情報に書換える許可サーバ情報書換部１５Ｃを更に備えてもよい。このように構成することで、許可サーバを変更する必要が生じた場合も、使用者が外部メモリ５０を移動機１０に装着することで、その他の操作を行うことなく、許可サーバ情報を変更することができる。従って、移動機１０の操作に不慣れな使用者であっても、簡易に許可サーバ情報を変更することができる。
【００６７】
また、移動機１０は、あらかじめ設定されている設定パスワードが外部メモリ５０に格納されている現パスワード（第１のパスワード）と一致する場合、外部メモリ５０に格納されている許可サーバ情報に基づいて、送信制御部１５Ａは第１通信部１１及び第２通信部１２を制御するように構成してもよい。このように構成することで、移動機１０の設定パスワードと一致するパスワードを格納する外部メモリ５０が移動機１０に装着された場合に限って、外部メモリ５０に格納されている許可サーバ情報に基づいて送信制御部１５Ａはデータを送信する。従って、外部メモリ５０に格納されている許可サーバ情報に基づく制御を行なう場合におけるセキュリティを向上することができる。
【００６８】
また、移動機１０は、外部メモリ５０に格納されているパスワード（第１のパスワード）が移動機１０の設定パスワードと一致する場合、設定パスワードを外部メモリ５０に格納されている新パスワード（第２のパスワード）に書換えるパスワード書換部１５Ｄを更に備えてもよい。このように構成することで、外部メモリ５０に格納されている許可サーバ情報に基づく制御を行なう度に設定パスワードが変更されるため、許可サーバの書換えにおけるセキュリティを更に向上することができる。
【００６９】
なお、データ収集システム１及びデータ収集方法も、上記の移動機１０に係る実施形態と対応する技術的特徴を有し、同様の作用及び効果を奏する。
【００７０】
また、本発明は、上述した実施の形態に限定されるものではなく、本発明の要旨を逸脱しない範囲内において種々の変更が可能であることは勿論である。
【００７１】
例えば、上記の実施形態では、移動機１０の外部メモリ装着部１４に外部メモリ５０が装着された場合、格納部１３に格納されている許可サーバリストを書換える構成としているが、許可サーバリストの書換えを行なわずに、外部メモリ５０に格納されている許可サーバリストを直接読み込む構成としてもよい。このように構成した場合にも、送信制御部１５Ａは、外部メモリ装着部１４により装着された外部メモリ５０に格納されている許可サーバ情報に基づいて、第１通信部１１及び前記第２通信部１２を制御することができる。
【図面の簡単な説明】
【００７２】
【図１】本発明の一実施形態に係る移動機を含むデータ収集システムの全体構成図である。
【図２】移動機の外部メモリ装着部に装着される外部メモリの模式図である。
【図３】本発明の一実施形態に係るデータ収集方法を示すシーケンス図である。
【図４】本発明の他の実施形態に係るデータ収集方法を示すシーケンス図である。
【図５】移動機において、許可サーバリスト（許可サーバ情報）及びパスワードを書換える処理を示すシーケンス図である。
【符号の説明】
【００７３】
１…データ収集システム、１０…移動機、１１…第１通信部、１２…第２通信部、１３…格納部、１４…外部メモリ装着部、１５…制御部、１５Ａ…送信制御部、１５Ｂ…書換制御部、１５Ｃ…許可サーバ情報書換部、１５Ｄ…パスワード書換部、１６…入力部、１７…表示部、２０…外部端末、２１…データ取得部、２２…データ格納部、２３…通信部、２４…制御部、３０…サーバ、３１…通信部、３２…格納部、３３…制御部、５０…外部メモリ、Ｎ…情報通信ネットワーク、Ｔ…管理用端末。
【図１】
0004825000.tif 000002
【図２】
0004825000.tif 000003
【図３】
0004825000.tif 000004
【図４】
0004825000.tif 000005
【図５】
0004825000.tif 000006